(57)【要約】【課題】ＵＳＢメモリーとカード型メモリーとの間の音楽データのダビングを簡単な操作で行えるようにする。【解決手段】ダビング装置１のＵＳＢメモリー端子２にＵＳＢメモリーＭ１を装着し、次に、カード型メモリー端子３にカード型メモリーＭ２を装着すると、それらの装着は検知部６，７によって検知され、ダビング方向指令部４からダビング部５へはＵＳＢメモリーＭ１→カード型メモリーＭ２の上書きコピーが指示される。逆に、カード型メモリーＭ２→ＵＳＢメモリーＭ１の順で装着すると、ダビング方向指令部４からダビング部５へはカード型メモリーＭ２→ＵＳＢメモリーＭ１のコピーが指示される。メモリーの装着順序によってダビングが自動的に開始されるため、ダビング操作は簡単となる。【選択図】図１
2008306424.tif 000002
【特許請求の範囲】
【請求項１】
ＵＳＢメモリーとカード型メモリーとの間でのダビングを行なうダビング装置において、
ＵＳＢメモリーを装着可能なＵＳＢメモリー端子と、
カード型メモリーを装着可能なカード型メモリー端子と、
ＵＳＢメモリーからカード型メモリーへのダビングを行なうかカード型メモリーからＵＳＢメモリーへのダビングを行なうかを指令するダビング方向指令部と、
該ダビング方向指令部からの指令に基づきＵＳＢメモリーとカード型メモリーとの間でダビングを行なうダビング部と、
を備え、
前記ダビング部は、ＵＳＢメモリーからカード型メモリーへのダビングを指令された場合には上書きコピーによるダビングを実行し、カード型メモリーからＵＳＢメモリーへのダビングを指令された場合には挿入コピーによるダビングを実行するものである、
ことを特徴とするダビング装置。
【請求項２】
前記ＵＳＢメモリー端子にＵＳＢメモリーが装着されたことを検知するＵＳＢメモリー検知部と、
前記カード型メモリー端子にカード型メモリーが装着されたことを検知するカード型メモリー検知部と、
を備え、
前記ダビング方向指令部は、ＵＳＢメモリー→カード型メモリーの順で装着されたことを前記両検知部から検知した場合にはＵＳＢメモリーからカード型メモリーへのダビングを指令し、カード型メモリー→ＵＳＢメモリーの順で装着されたことを前記両検知部から検知した場合にはカード型メモリーからＵＳＢメモリーへのダビングを指令する、
ことを特徴とする請求項１に記載のダビング装置。
【請求項３】
ＵＳＢメモリー→カード型メモリーの順で装着された場合、及びカード型メモリー→ＵＳＢメモリーの順で装着された場合の内の少なくとも一方の場合に、ダビングして良いかの確認メッセージを表示する確認メッセージ表示部と、
該確認メッセージが表示されたときに操作される確認スイッチと、
を備え、
前記ダビング方向指令部は、前記確認スイッチからの信号を受けてダビングの指令を前記ダビング部に対して行なう、
ことを特徴とする請求項２に記載のダビング装置。
【請求項４】
前記確認メッセージ表示部は、ＵＳＢメモリー→カード型メモリーの順で装着された場合に前記確認メッセージを表示し、カード型メモリー→ＵＳＢメモリーの順で装着された場合には該確認メッセージを表示せず、
前記ダビング方向指令部は、ＵＳＢメモリー→カード型メモリーの順で装着され、前記確認メッセージ表示部により前記確認メッセージが表示され、前記確認スイッチが操作された場合には、ダビングの指令を前記ダビング部に対して行ない、カード型メモリー→ＵＳＢメモリーの順で装着された場合には、該ＵＳＢメモリーが装着された時点でダビングの指令を前記ダビング部に対して行なう、
ことを特徴とする請求項３に記載のダビング装置。
【請求項５】
前記カード型メモリーはＣＦカードである、
ことを特徴とする請求項１乃至４のいずれか１項に記載のダビング装置。
【発明の詳細な説明】
【技術分野】
【０００１】
本発明は、ＵＳＢメモリーとカード型メモリーとの間でダビングを行なうダビング装置に関する。
【背景技術】
【０００２】
近年、ＵＳＢメモリーやＣＦカードやＳＤカード等の種々の形式の外部メモリーがパソコンやオーディオ機器等に使用されている。
【０００３】
この内、ＵＳＢメモリーは、数ＧＢ程度の大容量のものが比較的安価で入手でき、また、パソコンのＵＳＢ端子に接続するだけで簡単にデータの読み書きを行なうことができることから広く普及してきており、音楽データや画像データやテキストデータ等の様々なデータの保存に使用されている。
【０００４】
しかし、このＵＳＢメモリーは、他のカード型メモリーに比べると、
・  接続端子部が機器外部に露出されていて汚れやすく、
・  元々が民生用であることからデータ書き換え可能回数も少なく、
・  ＵＳＢメモリーと機器との間のデータ転送速度も変動し易い、
等の短所もあり、信頼性が要求される機器においては、ＵＳＢメモリーではなくカード型メモリーを使用するものも多い（例えば、特許文献１参照）。
【０００５】
そのようなカード型メモリーを使用した機器としては、例えば、放送局等にて使用される業務用のデジタル録音再生装置を挙げることができる。このような録音再生装置では、外部メモリーに直接録音したり、外部メモリーに保存してある音楽データを（装置内部のメモリーに一旦保存するようなことはしないで）直接再生したりするので、音飛び等が無く録音再生できる必要があり、信頼性の高いカード型メモリー（例えば、業務用ＣＦカード）が使用されている。
【０００６】
ところで、上述のデジタル録音再生装置を実際の放送局で使用するに当たっては、ＵＳＢメモリーに保存されている音楽データ（例えば、１つの番組で使用する予定の音楽データ全て）を１枚のカード型メモリーに上書き保存し、その上書き保存された音楽データをデジタル録音再生装置にて再生するという方法が採られている。また、逆に、カード型メモリーに保存されている音楽データを他のＵＳＢメモリーにコピーすることも頻繁に行なわれている。つまり、多用途で広く普及しているＵＳＢメモリーと、前記録音再生装置専用のカード型メモリーとの間でのダビングが業務上で頻繁に行なわれている。
【特許文献１】特開平９−６２８１１号公報
【発明の開示】
【発明が解決しようとする課題】
【０００７】
ところで、上述のような、ＵＳＢメモリーからカード型メモリーへの音楽データのコピーや、カード型メモリーからＵＳＢメモリーへの音楽データのコピーはパソコンを使えば可能であるが、その場合には、所定のファイルを開いてドラッグ・アンド・ドロップする等の複雑な操作が必要であり、また、誤って他のデータを消去してしまうおそれもある。放送局では、アルバイトの人や、パソコンに不慣れな人でも、本番直前の慌ただしい時間帯に簡単かつ確実にダビングを行えるようにしておく必要がある。
【０００８】
また、ＵＳＢメモリー等の外部メモリーにデータを書き込むためのデュプリケータと呼ばれる製品も市販されてはいるが、上述のようなカード型メモリーとＵＳＢメモリーとの間でのコピーに適するものは見当たらない。
【０００９】
そこで、本発明は、簡単な操作ながら確実にダビングを行なうことができるダビング装置を提供することを目的とするものである。
【課題を解決するための手段】
【００１０】
請求項１に係る発明は、図１に例示するものであって、ＵＳＢメモリー（Ｍ１）とカード型メモリー（Ｍ２）との間でのダビングを行なうダビング装置（１）において、
ＵＳＢメモリー（Ｍ１）を装着可能なＵＳＢメモリー端子（２）と、
カード型メモリー（Ｍ２）を装着可能なカード型メモリー端子（３）と、
ＵＳＢメモリー（Ｍ１）からカード型メモリー（Ｍ２）へのダビングを行なうかカード型メモリー（Ｍ２）からＵＳＢメモリー（Ｍ１）へのダビングを行なうかを指令するダビング方向指令部（４）と、
該ダビング方向指令部（４）からの指令に基づきＵＳＢメモリー（Ｍ１）とカード型メモリー（Ｍ２）との間でダビングを行なうダビング部（５）と、
を備え、
前記ダビング部（５）は、ＵＳＢメモリー（Ｍ１）からカード型メモリー（Ｍ２）へのダビングを指令された場合には上書きコピーによるダビングを実行し、カード型メモリー（Ｍ２）からＵＳＢメモリー（Ｍ１）へのダビングを指令された場合には挿入コピーによるダビングを実行するものであることを特徴とする。
【００１１】
請求項２に係る発明は、請求項１に係る発明において、前記ＵＳＢメモリー端子（２）にＵＳＢメモリー（Ｍ１）が装着されたことを検知するＵＳＢメモリー検知部（６）と、
前記カード型メモリー端子（３）にカード型メモリー（Ｍ２）が装着されたことを検知するカード型メモリー検知部（７）と、
を備え、
前記ダビング方向指令部（４）は、ＵＳＢメモリー（Ｍ１）→カード型メモリー（Ｍ２）の順で装着されたことを前記両検知部（６，７）から検知した場合にはＵＳＢメモリー（Ｍ１）からカード型メモリー（Ｍ２）へのダビングを指令し、カード型メモリー（Ｍ２）→ＵＳＢメモリー（Ｍ１）の順で装着されたことを前記両検知部（６，７）から検知した場合にはカード型メモリー（Ｍ２）からＵＳＢメモリー（Ｍ１）へのダビングを指令することを特徴とする。
【００１２】
請求項３に係る発明は、請求項２に係る発明において、ＵＳＢメモリー（Ｍ１）→カード型メモリー（Ｍ２）の順で装着された場合、及びカード型メモリー（Ｍ２）→ＵＳＢメモリー（Ｍ１）の順で装着された場合の内の少なくとも一方の場合に、ダビングして良いかの確認メッセージを表示する確認メッセージ表示部（８）と、
該確認メッセージが表示されたときに操作される確認スイッチ（９）と、
を備え、
前記ダビング方向指令部（４）は、前記確認スイッチ（９）からの信号を受けてダビングの指令を前記ダビング部（５）に対して行なうことを特徴とする。
【００１３】
請求項４に係る発明は、請求項３に係る発明において、前記確認メッセージ表示部（８）は、ＵＳＢメモリー（Ｍ１）→カード型メモリー（Ｍ２）の順で装着された場合に前記確認メッセージを表示し、カード型メモリー（Ｍ２）→ＵＳＢメモリー（Ｍ１）の順で装着された場合には該確認メッセージを表示せず、
前記ダビング方向指令部（４）は、ＵＳＢメモリー（Ｍ１）→カード型メモリー（Ｍ２）の順で装着され、前記確認メッセージ表示部（８）により前記確認メッセージが表示され、前記確認スイッチ（９）が操作された場合には、ダビングの指令を前記ダビング部（５）に対して行ない、カード型メモリー（Ｍ２）→ＵＳＢメモリー（Ｍ１）の順で装着された場合には、該ＵＳＢメモリー（Ｍ１）が装着された時点でダビングの指令を前記ダビング部（５）に対して行なうことを特徴とする。
【００１４】
請求項５に係る発明は、請求項１乃至４のいずれか１項に記載の発明において、前記カード型メモリー（Ｍ２）はＣＦカードであることを特徴とする。
【００１５】
なお、括弧内の番号などは、図面における対応する要素を示す便宜的なものであり、従って、本記述は図面上の記載に限定拘束されるものではない。
【発明の効果】
【００１６】
請求項１及び５に係る発明によれば、ＵＳＢメモリーからカード型メモリーへは上書きコピーされるので、古い音楽データ等は全て消去されることとなる。例えば、このカード型メモリーを上述のデジタル録音再生装置にて再生する場合、オンエア中に番組とは無関係の音楽が誤って再生されることは無く、安心して音楽再生を行なうことができる。また、ＵＳＢメモリーには上述のように様々なデータ（画像データやテキストデータ等の消去したく無いデータ）が保存されていることが多いが、本発明によれば、カード型メモリーからＵＳＢメモリーへは挿入コピーを行なうので、既に保存されているデータが消去されてしまうことは無い。
【００１７】
請求項２に係る発明によれば、２つのメモリーをダビング装置に装着しただけで、ボタンを押したりしなくても自動的にダビングが開始されるので、操作が簡単となり、操作に不慣れなユーザであっても確実にダビングを行なうことができる。
【００１８】
請求項３に係る発明によれば、操作は多少煩雑となるものの、ダビングミスを回避することができる。
【００１９】
請求項４に係る発明によれば、ＵＳＢメモリーからカード型メモリーへダビングを行なう際には確認メッセージが表示されて応答が求められるので、誤って上書きコピーして元データを消去してしまうことを回避できるし、カード型メモリーからＵＳＢメモリーへダビングを行なう際には自動的にダビングが開始されるため操作の簡素化を図ることができる。
【発明を実施するための最良の形態】
【００２０】
以下、図１乃至図２に沿って、本発明を実施するための最良の形態について説明する。ここで、図１は、本発明に係るダビング装置の構成の一例を示すブロック図であり、図２は、本発明に係るダビング装置の外観の一例を示す正面図である。
【００２１】
本発明に係るダビング装置は、ＵＳＢメモリー（図１の符号Ｍ１参照）とカード型メモリー（同図の符号Ｍ２参照）との間でのダビングを行なうものであって、
・  ＵＳＢメモリーＭ１からカード型メモリーＭ２へのダビング
及び
・  カード型メモリーＭ２からＵＳＢメモリーＭ１へのダビング
を選択的に行なうように構成されている。なお、カード型メモリーとしては、ＣＦカードやＳＤカード等の公知のものを挙げることができる。
【００２２】
本発明に係るダビング装置１は、図１及び図２に例示するものであって、ＵＳＢメモリーＭ１を装着可能なＵＳＢメモリー端子２と、カード型メモリーＭ２を装着可能なカード型メモリー端子３と、ＵＳＢメモリーＭ１からカード型メモリーＭ２へのダビングを行なうかカード型メモリーＭ２からＵＳＢメモリーＭ１へのダビングを行なうかを指令するダビング方向指令部４と、該ダビング方向指令部４からの指令に基づきＵＳＢメモリーＭ１とカード型メモリーＭ２との間でダビングを行なうダビング部５と、を備えている。そして、このダビング部５は、
・  ＵＳＢメモリーＭ１からカード型メモリーＭ２へのダビングを指令された場合には上書きコピー（メモリーに既に保存されているデータを消去した上でコピーすることの意。以下、本明細書において同じ）によるダビングを実行し、
・  カード型メモリーＭ２からＵＳＢメモリーＭ１へのダビングを指令された場合には挿入コピー（上書きコピーとは反対の概念で、メモリーに既に保存されているデータを消去しないで空き領域の部分にコピーすることの意。以下、本明細書において同じ）によるダビングを実行する
ように構成されている。
【００２３】
上述の装置によれば、ＵＳＢメモリーＭ１からカード型メモリーＭ２へは上書きコピーされるので、古い音楽データ等は全て消去されることとなる。例えば、このカード型メモリーＭ２を上述のデジタル録音再生装置にて再生する場合、オンエア中に番組とは無関係の音楽が誤って再生されることは無く、安心して音楽再生を行なうことができる。また、ＵＳＢメモリーＭ１には上述のように様々なデータ（画像データやテキストデータ等の消去したく無いデータ）が保存されていることが多いが、上述の装置によれば、カード型メモリーＭ２からＵＳＢメモリーＭ１へは挿入コピーを行なうので、既に保存されているデータが消去されてしまうことは無い。
【００２４】
ところで、上述のダビング装置１には、
・  前記ＵＳＢメモリー端子２にＵＳＢメモリーＭ１が装着されたことを検知するＵＳＢメモリー検知部６と、
・  前記カード型メモリー端子３にカード型メモリーＭ２が装着されたことを検知するカード型メモリー検知部７と、
を設けておき、前記ダビング方向指令部４は、
・  「ＵＳＢメモリー→カード型メモリー」の順で装着されたことを前記両検知部６，７から検知した場合にはＵＳＢメモリーＭ１からカード型メモリーＭ２へのダビングを指令し、
・  「カード型メモリー→ＵＳＢメモリー」の順で装着されたことを前記両検知部６，７から検知した場合にはカード型メモリーＭ２からＵＳＢメモリーＭ１へのダビングを指令する、
ようにすると良い。このようにした場合には、２つのメモリーＭ１，Ｍ２をダビング装置に装着しただけで、ボタンを押したりしなくても自動的にダビングが開始されるので、操作が簡単となり、操作に不慣れなユーザであっても確実にダビングを行なうことができる。
【００２５】
また、上述のダビング装置１には、
・  「ＵＳＢメモリー→カード型メモリー」の順で装着された場合、及び「カード型メモリー→ＵＳＢメモリー」の順で装着された場合の内の少なくとも一方の場合に、ダビングして良いかの確認メッセージ（例えば、「○○から△△へのダビングを開始しますか」のようなメッセージ）を表示する確認メッセージ表示部８と、
・  該確認メッセージが表示されたときに操作される確認スイッチ９と、
を設けておき、前記ダビング方向指令部４は、前記確認スイッチ９からの信号を受けてダビングの指令を前記ダビング部５に対して行なうようにすると良い。このような確認メッセージの表示、及び確認スイッチ９の操作を行なうようにした場合には、操作は多少煩雑となるものの、ダビングミスを回避することができる。
【００２６】
上述の確認メッセージの表示は、「ＵＳＢメモリー→カード型メモリー」の順で装着された場合、及び「カード型メモリー→ＵＳＢメモリー」の順で装着された場合の両方で行なっても良いが、いずれか一方だけで行なうようにしても良い。例えば、前記確認メッセージ表示部８は、「ＵＳＢメモリー→カード型メモリー」の順で装着された場合には、ダビングして良いかの確認メッセージを表示し、「カード型メモリー→ＵＳＢメモリー」の順で装着された場合には、該メッセージを表示しないようにすると良い。すなわち、「ＵＳＢメモリー→カード型メモリー」の順で装着された場合には、前記確認メッセージ表示部８は前記確認メッセージを表示し、その確認メッセージを見たユーザが前記確認スイッチ９を操作すると、その信号を受信した前記ダビング方向指令部４は、前記ダビング部５に対してダビングの指令を行なうようにすると良い。また、「カード型メモリー→ＵＳＢメモリー」の順で装着された場合には、前記ダビング方向指令部４は、ＵＳＢメモリーが装着された時点で前記ダビング部５に対してダビングの指令を行なうようにすると良い。そのようにした場合には、ＵＳＢメモリーＭ１からカード型メモリーＭ２へダビングを行なう際には確認メッセージが表示されて応答が求められるので、誤って上書きコピーして元データを消去してしまうことを回避できるし、カード型メモリーＭ２からＵＳＢメモリーＭ１へダビングを行なう際には自動的にダビングが開始されるため操作の簡素化を図ることができる。
【図面の簡単な説明】
【００２７】
【図１】図１は、本発明に係るダビング装置の構成の一例を示すブロック図である。
【図２】図２は、本発明に係るダビング装置の外観の一例を示す正面図である。
【符号の説明】
【００２８】
１            ダビング装置
２            ＵＳＢメモリー端子
３            カード型メモリー端子
４            ダビング方向指令部
５            ダビング部
６            ＵＳＢメモリー検知部
７            カード型メモリー検知部
８            確認メッセージ表示部
９            確認スイッチ
Ｍ１            ＵＳＢメモリー
Ｍ２            カード型メモリー
【図１】
2008306424.tif 000003
【図２】
2008306424.tif 000004